(57)【要約】【課題】簡便に外観品質を向上させることができるシートトリムカバーの製造方法を提供する。【解決手段】シート幅方向に垂直な中心面Ｓを挟んで対をなす対称ピース１１，１２、及び対称ピース１１，１２それぞれの対応する縁部１１ｂ，１２ｂに接ぎ合わされる接続ピース１３を含む複数のピースが接ぎ合わされてなるトリムカバー４は、一対の対称ピース１１，１２と、一対の対称ピース１１，１２を部分的に相互に接続する一つ以上の接続片１４とを、一枚の本革生地Ｌ３から一体に裁断するステップと、裁断された一対の対称ピース１１，１２それぞれの対応する縁部１１ｂ，１２ｂに接続ピース１３を接ぎ合せるステップと、接続ピース１３が接ぎ合わされた一対の対称ピース１１，１２を相互に接続している接続片１４を切除するステップと、を備えて製造される。【選択図】図５
2018064687.tif 000002
【特許請求の範囲】
【請求項１】
複数のピースが接ぎ合わされてなるシートトリムカバーの製造方法であって、
前記複数のピースは、シート幅方向に垂直な中心面を挟んで対をなす対称ピース、及び前記対称ピースそれぞれの対応する縁部に接ぎ合わされる接続ピースを含み、
一対の前記対称ピースと、当該一対の対称ピースを部分的に相互に接続する一つ以上の接続片とを、一枚の本革生地から一体に裁断するステップと、
裁断された前記一対の対称ピースそれぞれの対応する縁部に前記接続ピースを接ぎ合せるステップと、
前記接続ピースが接ぎ合わされた前記一対の対称ピースを相互に接続している前記接続片を切除するステップと、
を備えるシートトリムカバーの製造方法。
【請求項２】
請求項１記載のシートトリムカバーの製造方法であって、
前記接続ピースが接ぎ合わされる前記縁部を除いた前記一対の対称ピースそれぞれの対応する縁部が対向して配置され、対向して配置された縁部が前記接続片によって相互に接続されるように、前記一対の対称ピース及び前記接続片を前記本革生地から一体に裁断するシートトリムカバーの製造方法。
【請求項３】
請求項２記載のシートトリムカバーの製造方法であって、
前記接続片は一つとするシートトリムカバーの製造方法。
【請求項４】
請求項３記載のシートトリムカバーの製造方法であって、
前記接続ピースが接ぎ合わされる前記縁部は、対向して配置される前記縁部の一端側に配置されており、
前記接続片を、対向して配置される前記縁部の他方の端部間に設けるシートトリムカバーの製造方法。
【請求項５】
請求項３又は４記載のトリムカバーの製造方法であって、
対向して配置される前記縁部に沿ってギャザーを形成するステップをさらに備えるシートトリムカバーの製造方法。
【発明の詳細な説明】
【技術分野】
【０００１】
本発明は、シートトリムカバーの製造方法に関する。
【背景技術】
【０００２】
自動車等の車両に設置されるシートのトリムカバーは、典型的には複数のピースが接ぎ合わされて構成されている。複数のピースには、例えばシートクッションやシートバックのサイド部を覆う額縁など、シート幅方向に垂直な中心面を挟んで対をなす対称ピースが含まれる。
【０００３】
また、シートの外観品質を向上させる観点から、一部のピースに装飾用のギャザーが形成される場合がある。例えば特許文献１に記載されたシートトリムカバーでは、シートバックのサイド部を覆う額縁に装飾用のギャザーが形成されている。
【先行技術文献】
【特許文献】
【０００４】
【特許文献１】特開２０１２−８１０４４号公報
【発明の概要】
【発明が解決しようとする課題】
【０００５】
シートトリムカバーを構成する複数のピースの材料として本革が用いられる場合があるが、本革は、天然素材であるが故に、例えば風合いや剛軟度及び伸縮性といった物性にばらつきが生じ易い。物性のばらつきは、例えばギャザーが形成される場合に、ギャザーの寄りかたがピース間で不揃いとなる要因となる。額縁などの対称ピースにおいては、表面の風合いの相違、ギャザーの寄りかたの不揃いが強調されてしまい、シートの外観品質を損なう虞がある。
【０００６】
本発明は、上述した事情に鑑みなされたものであり、簡便に外観品質を向上させることができるシートトリムカバーの製造方法を提供することを目的としている。
【課題を解決するための手段】
【０００７】
本発明の一態様のシートトリムカバーの製造方法は、複数のピースが接ぎ合わされてなるシートトリムカバーの製造方法であって、前記複数のピースは、シート幅方向に垂直な中心面を挟んで対をなす対称ピース、及び前記対称ピースそれぞれの互いに対応する縁部に接ぎ合わされる接続ピースを含み、一対の前記対称ピースと、当該一対の対称ピースを部分的に相互に接続する一つ以上の接続片とを、一枚の本革生地から一体に裁断するステップと、裁断された前記一対の対称ピースそれぞれの対応する縁部に前記接続ピースを接ぎ合せるステップと、前記接続ピースが接ぎ合わされた前記一対の対称ピースを相互に接続している前記接続片を切除するステップと、を備える。
【発明の効果】
【０００８】
本発明によれば、簡便に外観品質を向上させることができるシートトリムカバーの製造方法を提供することができる。
【図面の簡単な説明】
【０００９】
【図１】本発明の実施形態を説明するための、車両用シートのシートトリムカバーの一例の斜視図である。
【図２】図１のシートトリムカバーの製造方法を説明する模式図である。
【図３】図１のシートトリムカバーの製造方法を説明する模式図である。
【図４】図１のシートトリムカバーの製造方法を説明する模式図である。
【図５】図１のシートトリムカバーの製造方法を説明する模式図である。
【図６】図１のシートトリムカバーの製造方法を説明する模式図である。
【発明を実施するための形態】
【００１０】
図１は、本発明の実施形態を説明するための、車両用シートのシートトリムカバーの一例を示す。
【００１１】
図１に示す車両用シート１は、シートクッション２と、シートバック３とを備える。シートクッション２は、フレームと、例えばウレタンフォームなどの発泡材からなりフレームに支持されたクッションパッドと、クッションパッドを覆うトリムカバー４とを有する。シートバック３も、シートクッション２と同様に構成され、フレームと、クッションパッドと、トリムカバー５とを有する。
【００１２】
トリムカバー４は、身頃ピース１０と、一対の額縁ピース１１，１２と、接続ピース１３とを含む複数のピースが接ぎ合わされてなる。トリムカバー５もまた、複数のピースが接ぎ合わされてなる。
【００１３】
身頃ピース１０は、シート幅方向におけるシートクッション２の座面の中央部を覆っている。一対の額縁ピース１１，１２は、身頃ピース１０の左右の縁部にそれぞれ接ぎ合わされており、シートクッション２の座面の左右のサイド部を覆っている。一対の額縁ピース１１，１２は、シート幅方向に垂直な中心面Ｓを挟んで略対称に形成されており、さらに本例では、身頃ピース１０に接ぎ合わされている一対の額縁ピース１１，１２それぞれの縁部１１ａ，１２ａに沿ってギャザーが形成されている。
【００１４】
接続ピース１３は、身頃ピース１０の後端側の縁部に接ぎ合わされており、さらに、一対の額縁ピース１１，１２それぞれの後端側の縁部であって互いに対応する縁部１１ｂ，１２ｂに接ぎ合わされている。
【００１５】
シートクッション２の座面を覆っている身頃ピース１０及び一対の額縁ピース１１，１２は、シートクッション２において乗員と接触する頻度が相対的に高く、またシートクッション２の外観の主要部位を構成しており、肌触りや外観品質を考慮して、本革を表地とする表皮材から形成されている。本革を表地とする表皮材は、本革の単層構造であってもよいし、本革の裏にワディング（例えば弾性変形可能な軟質ポリウレタンフォームなどの樹脂発泡体）が積層された多層構造であってもよい。
【００１６】
なお、トリムカバー４を構成する他のピースもまた、身頃ピース１０及び一対の額縁ピース１１，１２と同様に本革を表地とする表皮材によって形成されているものとするが、身頃ピース１０及び一対の額縁ピース１１，１２を除く他の構成ピースは、合皮又は布帛（編物、織布、不織布等）を表地とする他の表皮材によって形成されていてもよい。
【００１７】
以下に、トリムカバー４の製造方法を説明する。
【００１８】
まず、図２に示すように、トリムカバー４を構成する複数のピースそれぞれの形状に基づいて、本革の原反Ｌが複数の本革生地Ｌｉ（ｉ＝１，２，３，・・・）にカットされる。各本革生地Ｌｉには互いに異なるピースが割り当てられ、各本革生地Ｌｉは、割り当てられるピースを裁断可能な大きさに形成される。なお、各本革生地Ｌｉは、図示の例ではいずれも矩形状に形成されているが、特に矩形状に限定されるものではない。
【００１９】
基本的に、一枚の本革生地Ｌｉには一つのピースが割り当てられるが、対称ピースについては、一枚の本革生地Ｌｉに一対の対称ピースが割り当てられる。図示の例では、本革生地Ｌ１に身頃ピース１０が割り当てられており、本革生地Ｌ２に接続ピース１３が割り当てられているのに対し、対称ピースである一対の額縁ピース１１，１２については、本革生地Ｌ３に一対の額縁ピース１１，１２が割り当てられている。
【００２０】
そして、カットされた各本革生地Ｌｉから、各本革生地Ｌｉに割り当てられているピースが裁断される。
【００２１】
図３は、対称ピースである一対の額縁ピース１１，１２が割り当てられた本革生地Ｌ３を示している。一対の額縁ピース１１，１２は、これら一対の額縁ピース１１，１２を部分的に相互に接続する接続片１４を含み、一枚の本革生地Ｌ３から一体に裁断される。接続片１４は複数設けられていてもよいが、本例では一つとされている。
【００２２】
一対の額縁ピース１１，１２は、それぞれの対応する縁部（ただし、接続ピース１３が接ぎ合わされる縁部１１ｂ，１２ｂを除く）が対向した状態に裁断されており、本例では、後工程にてギャザーが形成される縁部１１ａ，１２ａが対向した状態に裁断されている。
【００２３】
そして、接続片１４は対向して配置された縁部１１ａ，１２ａの間に設けられており、本例では、接続ピース１３（図１参照）が接ぎ合わされる縁部１１ｂ，１２ｂ側とは反対側に位置する縁部１１ａ，１２ａの前端部間に設けられている。本革生地Ｌ３から裁断された一対の額縁ピース１１，１２は、この接続片１４によって分離不能に相互に接続されている。
【００２４】
一枚の本革生地Ｌ３から裁断された一対の額縁ピース１１，１２は、互いに異なる本革生地から裁断されたものに比べて等質な風合いとなり、剛軟度及び伸縮性といった物性についても等質となる。
【００２５】
次に、図４に示すように、一対の額縁ピース１１，１２それぞれの縁部１１ａ，１２ａにギャザーが順に形成される。上記のとおり、一対の額縁ピース１１，１２が一枚の本革生地Ｌ３から裁断されていることによって一対の額縁ピース１１，１２の物性が等質であることから、一対の額縁ピース１１，１２の間でギャザーの寄りかたを揃えることができる。
【００２６】
特に本例では、ギャザーが形成される縁部１１ａ，１２ａが対向した状態に一対の額縁ピース１１，１２が裁断されており、これらの縁部１１ａ，１２ａが一枚の本革生地Ｌ３において近接した部位に置かれていることから、縁部１１ａ，１２ａの物性が一層等質となり、一対の額縁ピース１１，１２の間でギャザーの寄りかたをさらに揃えることができる。
【００２７】
また、縁部１１ａ，１２ａはギャザーが形成されることによって長手方向に短縮されるが、縁部１１ａ，１２ａを相互に接続している接続片１４が一つであることから、縁部１１ａ，１２ａが相互に拘束されず、ギャザーが形成される順序にかかわらず、一対の額縁ピース１１，１２に等しくギャザーが形成される。これにより、一対の額縁ピース１１，１２の間でギャザーの寄りかたをさらに揃えることができる。
【００２８】
次に、図５に示すように、一対の額縁ピース１１，１２それぞれの縁部１１ｂ，１２ｂに、本革生地Ｌ２（図２参照）から裁断された接続ピース１３が接ぎ合わされる。なお、一対の額縁ピース１１，１２や接続ピース１３を形成している本革の裏にワディングが積層される場合には、一対の額縁ピース１１，１２と接続ピース１３とが接ぎ合わされる前工程にて各ピースを形成している本革にワディングが接合される。本革とワディングとは、例えば縁縫いなどの適宜な方法によって接合される。
【００２９】
接続ピース１３が接ぎ合わされる縁部１１ｂ，１２ｂは、一対の額縁ピース１１，１２それぞれの縁部１１ａ，１２ａの後端側に配置されており、一方、一対の額縁ピース１１，１２を相互に接続している接続片１４は縁部１１ａ，１２ａの前端部間に設けられている。これにより、縁部１１ａ，１２ａの後端部側の間隔を広げることができ、縁部１１ａ，１２ａの後端部側に位置する縁部１１ｂ，１２ｂに接続ピース１３を接ぎ合せる縫製作業の作業性を高めることができる。
【００３０】
次に、図６に示すように、一対の額縁ピース１１，１２を相互に接続している接続片１４が切除される。接続片１４が切除された後も、一対の額縁ピース１１，１２は、縁部１１ｂ，１２ｂに接ぎ合わされている接続ピース１３によって、分離不能に相互に接続された状態に保たれる。
【００３１】
この後、一対の額縁ピース１１，１２及び接続ピース１３と、身頃ピース１０等の他のピースとが接ぎ合わされ、トリムカバー４が製造される。
【００３２】
以上のトリムカバー４の製造方法によれば、一枚の本革生地Ｌ３から裁断された一対の額縁ピース１１，１２は、トリムカバー４の製造工程において一貫して、接続片１４又は接続ピース１３によって分離不能に相互に接続されている。これにより、例えば一対の額縁ピース１１，１２に識別番号を付与するといった追加の手間を要することなく、一対の額縁ピース１１，１２を簡便に且つ確実にマッチングさせておくことができる。
【００３３】
そして、対称ピースである一対の額縁ピース１１，１２が一枚の本革生地Ｌ３から裁断されていることによって、一対の額縁ピース１１，１２の風合いや剛軟度及び伸縮性といった物性が等質となる。これにより、トリムカバー４の外観品質を簡便に向上させることができる。
【００３４】
特に、一対の額縁ピース１１，１２それぞれの縁部１１ａ，１２ａにギャザーが形成される本例のトリムカバー４においては、一対の額縁ピース１１，１２の物性が等質であることによって、一対の額縁ピース１１，１２の間でギャザーの寄りかたを揃えることができる。これにより、トリムカバー４の外観品質のさらなる向上を図ることができる。
【００３５】
以上、シートクッション２のトリムカバー４を構成する一対の額縁ピース１１，１２を例にして本発明の実施形態を説明したが、対称ピースは一対の額縁ピース１１，１２に限られるものではない。例えば図１に示した車両用シート１において、トリムカバー４の一対の額縁ピース１１，１２のシート幅方向外側に隣設されるまちピース１５，１６もまた、シート幅方向に垂直な中心面Ｓを挟んで略対称に形成されており、これら一対のまちピース１５，１６についても、一枚の本革生地から接続片を含んで一体に裁断し、他の接続ピースと接ぎ合わされた後に接続片を切除するようにしてもよい。また、シートバック３のトリムカバー５を構成する一対の額縁ピース２１，２２、及び一対のまちピース２５，２６についても、同様に、一枚の本革生地から接続片を含んで一体に裁断し、他の接続ピースと接ぎ合わされた後に接続片を切除するようにしてもよい。
【符号の説明】
【００３６】
１  車両用シート
２  シートクッション
３  シートバック
４  トリムカバー
５  トリムカバー
１０  身頃ピース
１１  額縁ピース
１１ａ  縁部
１１ｂ  縁部
１２  額縁ピース
１２ａ  縁部
１２ｂ  縁部
１３  接続ピース
１４  接続片
Ｌ  原反
Ｌ１，Ｌ２，Ｌ３  本革生地
Ｓ  中心面
【図１】
2018064687.tif 000003
【図２】
2018064687.tif 000004
【図３】
2018064687.tif 000005
【図４】
2018064687.tif 000006
【図５】
2018064687.tif 000007
【図６】
2018064687.tif 000008